【手続補正書】
【提出日】平成30年1月17日(2018.1.17)
【手続補正１】
【補正対象書類名】明細書
【補正対象項目名】０００６
【補正方法】変更
【補正の内容】
【０００６】
上記目的を達成するため、本発明の一態様の画像処理装置は、
複数の画像を取得する画像取得手段と、
再生総時間を設定する再生総時間設定手段と、
前記複数の画像のうち少なくとも１つ以上の画像の再生時間が当該複数の画像のうち少なくとも１つ以上の画像の再生時間と異なるように前記複数の画像の夫々に個別再生時間を設定する個別再生時間設定手段と、
前記複数の画像の前記個別再生時間と前記再生総時間とに基づいて、前記個別再生時間の合計時間が前記再生総時間を超えない範囲となるように前記複数の画像から所定数の画像を選択する選択手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
複数の画像を取得する画像取得手段と、
再生総時間を設定する再生総時間設定手段と、
前記複数の画像のうち少なくとも１つ以上の画像の再生時間が当該複数の画像のうち少なくとも１つ以上の画像の再生時間と異なるように前記複数の画像の夫々に個別再生時間を設定する個別再生時間設定手段と、
前記複数の画像の前記個別再生時間と前記再生総時間とに基づいて、前記個別再生時間の合計時間が前記再生総時間を超えない範囲となるように前記複数の画像から所定数の画像を選択する選択手段と、
を備えることを特徴とする画像処理装置。
【請求項２】
前記複数の画像を評価する評価手段を更に備え、
前記選択手段は、前記複数の画像の評価結果と前記個別再生時間と前記再生総時間とに基づいて、前記個別再生時間の合計時間が前記再生総時間を超えない範囲となるように前記複数の画像から所定数の画像を選択する、
ことを特徴とする請求項１に記載の画像処理装置。
【請求項３】
前記選択手段は、選択されるべき前記画像の評価結果の合計が高くなるように、前記所定数の画像を選択する、
ことを特徴とする請求項２に記載の画像処理装置。
【請求項４】
前記複数の画像間における類似度を判定する類似度判定手段を更に備え、
前記選択手段は、前記類似度判定手段による判定結果に基づいて、前記画像を選択する、
ことを特徴とする請求項２または３に記載の画像処理装置。
【請求項５】
前記類似度判定手段は、類似度を判定する対象の画像において前記選択手段により選択される順番が近い前後の画像を比較対象とする、
ことを特徴とする請求項４に記載の画像処理装置。
【請求項６】
前記個別再生時間設定手段は、前記評価手段による評価結果に基づいて前記個別再生時間を設定する、
ことを特徴とする請求項２乃至５の何れか１項に記載の画像処理装置。
【請求項７】
前記評価手段は、画像の内容に関連する情報、又は撮影のタイミングに関連する情報に基づいて前記画像を評価する、
ことを特徴とする請求項２乃至６の何れか１項に記載の画像処理装置。
【請求項８】
前記選択手段は、撮影される画像の撮影タイミングに関連する情報が分散するように前記所定数の画像を選択する、
ことを特徴とする請求項２乃至７の何れか１項に記載の画像処理装置。
【請求項９】
前記再生総時間設定手段により設定された前記再生総時間において画像の切替時点を設定する切替時点設定手段をさらに備え、
前記選択手段は、前記切替時点に基づいて、前記再生総時間内となるように前記複数の画像から所定数の画像を選択する、
ことを特徴とする請求項２乃至８の何れか１項に記載の画像処理装置。
【請求項１０】
前記切替時点設定手段は、楽音に対応するように前記切替時点を設定する、
ことを特徴とする請求項９に記載の画像処理装置。
【請求項１１】
前記個別再生時間設定手段は、取得手段によって取得された前記複数の画像の夫々に異なる個別再生時間を設定する、
ことを特徴とする請求項２乃至１０の何れか１項に記載の画像処理装置。
【請求項１２】
前記画像の個別再生時間が所定の時間よりも少ない場合には、当該画像自体、又は、前後のいずれかの画像の個別再生時間を変更する再生時間調整手段を更に備える、
ことを特徴とする請求項２乃至１１の何れか１項に記載の画像処理装置。
【請求項１３】
前記切替時点設定手段は、前記切替時点の少なくとも１つに重要度を設定する、
ことを特徴とする請求項９に記載の画像処理装置。
【請求項１４】
前記選択手段は、所定の重要度を満たさない前記切替時点での画像の切り替えを行わないように画像を選択する、
ことを特徴とする請求項１３に記載の画像処理装置。
【請求項１５】
前記選択手段は、前記評価手段による評価結果が高い画像が重要度の高い前記切替時点に割り当てられるように前記所定数の画像を選択する、
ことを特徴とする請求項１３に記載の画像処理装置。
【請求項１６】
複数の画像を取得する取得手段と、
前記取得手段によって取得された前記複数の画像の夫々に当該複数の画像のうち少なくとも１つ以上の画像の再生時間が当該複数の画像のうち少なくとも１つ以上の画像の再生時間と異なるように前記複数の画像の夫々に個別再生時間を設定する個別再生時間設定手段と、
再生総時間を設定する再生総時間設定手段と、
前記再生総時間設定手段により設定された前記再生総時間において画像の切替時点を設定する切替時点設定手段と、
前記切替時点と前記再生総時間とに基づいて、前記再生総時間内となるように前記複数の画像から所定数の画像を選択する選択手段と、
を備えることを特徴とする画像処理装置。
【請求項１７】
前記複数の画像を評価する評価手段をさらに備え
前記個別再生時間設定手段は、前記評価手段による評価結果に基づいて前記個別再生時間を設定する、
ことを特徴とする請求項１６に記載の画像処理装置。
【請求項１８】
前記評価手段は、画像の内容に関連する情報、又は撮影のタイミングに関連する情報に基づいて前記画像を評価する、
ことを特徴とする請求項１７に記載の画像処理装置。
【請求項１９】
前記選択手段は、選択される前記画像の評価結果が高く、かつ、選択される前記複数の画像の前記個別再生時間の合計時間が前記再生総時間を超えない範囲となるように、前記所定数の画像を選択する、
ことを特徴とする請求項１７または１８に記載の画像処理装置。
【請求項２０】
前記選択手段は、前記評価手段による評価結果が高い画像が前記切替時点に割り当てられるように前記所定数の画像を選択する、
ことを特徴とする請求項１７乃至１９の何れか１項に記載の画像処理装置。
【請求項２１】
複数の画像を取得する画像取得ステップと、
再生総時間を設定する再生総時間設定ステップと、
前記複数の画像のうち少なくとも１つ以上の画像の再生時間が当該複数の画像のうち少なくとも１つ以上の画像の再生時間と異なるように前記複数の画像の夫々に個別再生時間を設定する個別再生時間設定ステップと、
前記複数の画像の前記個別再生時間と前記再生総時間とに基づいて、前記個別再生時間の合計時間が前記再生総時間を超えない範囲となるように前記複数の画像から所定数の画像を選択する選択ステップと、
を含むことを特徴とする画像選択方法。
【請求項２２】
画像処理装置を制御するコンピュータを、
複数の画像を取得する画像取得手段、
再生総時間を設定する再生総時間設定手段、
前記複数の画像のうち少なくとも１つ以上の画像の再生時間が当該複数の画像のうち少なくとも１つ以上の画像の再生時間と異なるように前記複数の画像の夫々に個別再生時間を設定する個別再生時間設定手段、
前記複数の画像の前記個別再生時間と前記再生総時間とに基づいて、前記個別再生時間の合計時間が前記再生総時間を超えない範囲となるように前記複数の画像から所定数の画像を選択する選択手段、
として機能させることを特徴とするプログラム。
【請求項２３】
複数の画像を取得する取得ステップと、
前記複数の画像の夫々に当該複数の画像のうち少なくとも１つ以上の画像の再生時間が当該複数の画像のうち少なくとも１つ以上の画像の再生時間と異なるように前記複数の画像の夫々に個別再生時間を設定する個別再生時間設定ステップと、
再生総時間を設定する再生総時間設定ステップと、
前記再生総時間において画像の切替時点を設定する切替時点設定ステップと、
前記切替時点と前記再生総時間とに基づいて、前記再生総時間内となるように前記複数の画像から所定数の画像を選択する選択ステップと、
を含むことを特徴とする画像選択方法。
【請求項２４】
画像処理装置を制御するコンピュータを、
複数の画像を取得する取得手段、
前記複数の画像の夫々に当該複数の画像のうち少なくとも１つ以上の画像の再生時間が当該複数の画像のうち少なくとも１つ以上の画像の再生時間と異なるように前記複数の画像の夫々に個別再生時間を設定する個別再生時間設定手段、
再生総時間を設定する再生総時間設定手段、
前記再生総時間において画像の切替時点を設定する切替時点設定手段、
前記切替時点と前記再生総時間とに基づいて、前記再生総時間内となるように前記複数の画像から所定数の画像を選択する選択手段、
として機能させることを特徴とするプログラム。